(57)【要約】【課題】高輝度のプロジェクタに好適に用いることのできる光源装置であって、長寿命化を図ることが可能な光源装置及びプロジェクタを提供する。【解決手段】光源ランプ１Ａ，１Ｂと、光源ランプ１Ａ，１Ｂが配置される位置から略等しい距離に回転軸７０ａｘを有し、照明光軸ＯＣに垂直な面内で光源ランプ１Ａ，１Ｂを回転可能に保持する回転保持基板７０と、光源ランプの数と同数の反射面を有し、光源ランプ１Ａ，１Ｂからの光を合成して射出する光合成光学系９０と、光源ランプ１Ａを光源ランプ１Ｂが配置されている位置に移動させ、光源ランプ１Ｂを光源ランプ１Ａが配置されている位置に移動させるように、回転保持基板７０を定期的に回転させる機能を有する回転駆動部７００とを備える光源装置１１０。【選択図】図３
2008309836.tif 000002
【特許請求の範囲】
【請求項１】
複数の光源ランプと、
前記複数の光源ランプが配置される位置から略等しい距離に回転軸を有し、照明光軸に垂直な面内で前記複数の光源ランプを回転可能に保持する回転保持基板と、
少なくとも前記複数の光源ランプの数と同数の反射面を有し、前記複数の光源ランプからの光を合成して射出する光合成光学系と、
前記複数の光源ランプのうちいずれかの光源ランプを他の光源ランプが配置されている位置に移動させるように、前記回転保持基板を定期的に回転させる機能を有する回転駆動部とを備えることを特徴とする光源装置。
【請求項２】
請求項１に記載の光源装置において、
前記複数の光源ランプと前記光合成光学系との間の光路内に配置され、前記複数の光源ランプからの光を前記光合成光学系に向けて反射する反射ミラーをさらに備え、
前記反射ミラーは、少なくとも前記複数の光源ランプと同数であることを特徴とする光源装置。
【請求項３】
請求項１又は２に記載の光源装置において、
前記光合成光学系は、少なくとも前記複数の光源ランプの数と同数の反射面を有するプリズムであることを特徴とする光源装置。
【請求項４】
請求項１〜３のいずれかに記載の光源装置において、
前記複数の光源ランプが保持された回転保持基板は、他の回転保持基板と交換可能に構成されていることを特徴とする光源装置。
【請求項５】
請求項１〜４のいずれかに記載の光源装置と、
前記光源装置からの光を画像情報に応じて変調する電気光学変調装置と、
前記電気光学変調装置によって変調された光を投写する投写光学系とを備えることを特徴とするプロジェクタ。
【請求項６】
請求項５に記載のプロジェクタにおいて、
前記光源装置からの光をより均一な強度分布を有する光に変換する機能を有するインテグレータロッドをさらに備えることを特徴とするプロジェクタ。
【請求項７】
請求項６に記載のプロジェクタにおいて、
前記インテグレータロッドは、光路後段に向けて細くなるようなテーパ形状を有し、光射出面が前記電気光学変調装置における画像形成領域と略同一の平面形状を有することを特徴とするプロジェクタ。
【請求項８】
請求項５〜７のいずれかに記載のプロジェクタにおいて、
プロジェクタの非投影時に前記回転駆動部による回転動作を行うことを特徴とするプロジェクタ。
【発明の詳細な説明】
【技術分野】
【０００１】
本発明は、光源装置及びプロジェクタに関する。
【背景技術】
【０００２】
従来より高輝度のプロジェクタが求められており、その要求に応えるものとして、複数の光源ランプを備えるプロジェクタ（いわゆる多灯式のプロジェクタ）が提案されている（例えば、特許文献１参照。）。
【０００３】
従来の多灯式のプロジェクタによれば、光源装置として、複数の光源ランプを有する光源装置を用いているため、従来よりも高輝度のプロジェクタを構成することができる。
【０００４】
【特許文献１】特開平８−３６１８０号公報
【発明の開示】
【発明が解決しようとする課題】
【０００５】
ところで、従来の多灯式のプロジェクタに用いる光源装置においては、熱対流などにより、管球部における重力に対して上側の頂点部分の温度が特に高くなり易く、管球部を構成する基材の許容温度を超えてしまった場合には、管球部における上側の頂点部分において局所的な膨れが発生したり白化したりする場合がある。白化とは、管球部を構成する基材が白濁して失透する現象のことである。管球部に局所的な膨れが発生すると、強度低下によって発光管が破裂する場合がある。また、管球部が白化すると、白化した箇所において光の透過が妨げられてしまい、これに起因して熱が発生して発光管の温度がさらに上昇した結果、発光管が破裂する場合がある。
【０００６】
管球部における上側の頂点部分の温度上昇を抑制するためには、発光管を冷却ファンで冷却することが考えられる。しかしながら、従来の光源装置においては、管球部における上側の頂点部分の温度を所定温度以下まで冷却したとき、管球部における下側の頂点部分が必要以上に冷却されてしまい、管球部における下側の頂点部分が黒化する場合がある。黒化とは、管球部内に封入された封入物（例えば、水銀、希ガス、金属ハロゲン化物等。）が管球部の内壁に付着する現象のことである。このように管球部が黒化すると、黒化した箇所において光が吸収されるため、発光管の光量が低下したり発光管が破損したりする可能性がある。
【０００７】
すなわち、従来の光源装置においては、管球部の管壁において局所的な膨れ、白化又は黒化が発生する場合があるため、光源装置の長寿命化を図ることが容易ではないという問題がある。
【０００８】
そこで、本発明は、上記の問題を解決するためになされたもので、高輝度のプロジェクタに好適に用いることのできる光源装置であって、長寿命化を図ることが可能な光源装置及びプロジェクタを提供することを目的とする。
【課題を解決するための手段】
【０００９】
本発明の光源装置は、複数の光源ランプと、前記複数の光源ランプが配置される位置から略等しい距離に回転軸を有し、照明光軸に垂直な面内で前記複数の光源ランプを回転可能に保持する回転保持基板と、少なくとも前記複数の光源ランプの数と同数の反射面を有し、前記複数の光源ランプからの光を合成して射出する光合成光学系と、前記複数の光源ランプのうちいずれかの光源ランプを他の光源ランプが配置されている位置に移動させるように、前記回転保持基板を定期的に回転させる機能を有する回転駆動部とを備えることを特徴とする。
【００１０】
このため、本発明の光源装置によれば、複数の光源ランプを備えるとともに、これらの光源ランプからの光を光合成光学系によって合成して射出する構成としているため、高輝度のプロジェクタに好適に用いることのできる光源装置となる。
【００１１】
また、本発明の光源装置によれば、上述の回転保持基板及び回転駆動部を備えているため、複数の光源ランプを照明光軸に垂直な面内の配置位置で定期的に移動させることが可能となる。このとき、複数の光源ランプのうち１つの光源ランプの管球部に着目してみると、後述する図８をもとに説明すると、第１位置Ｐ１に配置されているときの当該管球部における上側の頂点部分となる位置と、第２位置Ｐ２に配置されているときの管球部における上側の頂点部分となる位置とは、それぞれ異なる位置となる。これは、光源ランプが回転保持基板に保持されているとともに、当該回転保持基板が、複数の光源ランプが配置される位置（第１位置Ｐ１及び第２位置Ｐ２）から略等しい距離に回転軸を有することに起因する。つまり、本発明の光源装置によれば、光源ランプが回転保持基板に保持されているとともに、当該回転保持基板が、複数の光源ランプが配置される位置（第１位置Ｐ１及び第２位置Ｐ２）から略等しい距離に回転軸を有するため、回転保持基板を定期的に回転させることによって、管球部における上側の頂点部分となる位置を定期的に変えることが可能となる。これにより、管球部における上側の頂点部分において局所的な膨れや白化が顕著に現れる前に管球部における上側の頂点部分の位置を変えることが可能となるため、局所的な膨れや白化に起因する発光管の破裂を抑制することが可能となる。また、管球部における下側の頂点部分となる位置についても定期的に変えることが可能となるため、管球部における下側の頂点部分において黒化が顕著に現れる前に管球部における下側の頂点部分の位置を変えることが可能となり、黒化に起因する発光管の光量の低下及び発光管の破損を抑制することが可能となる。その結果、光源装置の長寿命化を図ることが可能となる。
【００１２】
したがって、本発明の光源装置は、高輝度のプロジェクタに好適に用いることのできる光源装置であって、長寿命化を図ることが可能な光源装置となる。
【００１３】
本発明の光源装置においては、前記複数の光源ランプと前記光合成光学系との間の光路内に配置され、前記複数の光源ランプからの光を前記光合成光学系に向けて反射する反射ミラーをさらに備え、前記反射ミラーは、少なくとも前記複数の光源ランプと同数であることが好ましい。
【００１４】
このように構成することにより、回転保持基板と光合成光学系との間の距離を短くすることが可能となるため、光源装置の小型化を図ることが可能となる。
【００１５】
本発明の光源装置においては、前記光合成光学系は、少なくとも前記複数の光源ランプの数と同数の反射面を有するプリズムであることが好ましい。
【００１６】
光合成光学系は、例えば、少なくとも複数の光源ランプの数と同数の反射ミラーを貼り合わせたものであってもよいが、上記のように構成することにより、部品点数を削減することが可能となる。なお、光源ランプを２つ備える場合は、三角柱プリズムを用いることが好ましく、光源ランプを３つ以上備える場合は、光源ランプの数と同数角の多角錐プリズムを用いることが好ましい。
【００１７】
本発明の光源装置においては、前記複数の光源ランプが保持された回転保持基板は、他の回転保持基板と交換可能に構成されていることが好ましい。
【００１８】
このように構成することにより、複数の光源ランプを回転保持基板ごと取り外すことができるとともに、新たな光源ランプを回転保持基板ごと組み込むことができるため、複数の光源ランプのすべてを新たな光源ランプに交換する場合に、非常に簡易に交換することが可能となる。
【００１９】
本発明のプロジェクタは、本発明の光源装置と、前記光源装置からの光を画像情報に応じて変調する電気光学変調装置と、前記電気光学変調装置によって変調された光を投写する投写光学系とを備えることを特徴とする。
【００２０】
このため、本発明のプロジェクタによれば、上述した優れた光源装置を備えているため、高輝度であって長寿命化を図ることが可能なプロジェクタとなる。
【００２１】
本発明のプロジェクタにおいては、前記光源装置からの光をより均一な強度分布を有する光に変換する機能を有するインテグレータロッドをさらに備えることが好ましい。
【００２２】
このように構成することにより、インテグレータロッドの内面における反射によって、電気光学変調装置の画像形成領域に照射される光の面内光強度分布をより均一なものにすることが可能となる。
【００２３】
本発明のプロジェクタにおいては、前記インテグレータロッドは、光路後段に向けて細くなるようなテーパ形状を有し、光射出面が前記電気光学変調装置における画像形成領域と略同一の平面形状を有することが好ましい。
【００２４】
インテグレータロッドがテーパ形状を有することにより、光源装置から射出される光を広くのみ込むことが可能な構成としつつ、インテグレータロッドが大型化するのを抑制することが可能となる。
また、インテグレータロッドの光射出面が画像形成領域と略同一の平面形状を有することにより、インテグレータロッドから射出される光の光利用効率の向上を図ることが可能となる。
【００２５】
本発明のプロジェクタにおいては、プロジェクタの非投影時に前記回転駆動部による回転動作を行うことが好ましい。
【００２６】
回転駆動部による回転動作をプロジェクタの投影時に行った場合、スクリーン等に投影中の投写画像が一瞬暗くなってしまい、視者に不快感を与える可能性がある。
しかしながら、本発明のプロジェクタによれば、プロジェクタの非投影時に回転駆動部による回転動作を行うこととしているため、スクリーン等に投影中の投写画像が一瞬暗くなってしまうこともなくなり、視者に不快感を与えることもない。
【発明を実施するための最良の形態】
【００２７】
以下、本発明の光源装置及びプロジェクタについて、図に示す実施の形態に基づいて説明する。
【００２８】
［実施形態１］
まず、実施形態１に係るプロジェクタ１０００の構成について、図１〜図７を用いて説明する。
【００２９】
図１は、実施形態１に係る光源装置１１０及びプロジェクタ１０００の光学系を示す図である。図１（ａ）は、光源装置１１０及びプロジェクタ１０００の光学系を上から見た図であり、図１（ｂ）は光源装置１１０及びプロジェクタ１０００の光学系を横から見た図である。
【００３０】
図２は、実施形態１に係る光源装置１１０を説明するために示す図である。図２（ａ）は光源装置１１０の斜視図であり、図２（ｂ）は光源ランプ１Ａ，１Ｂ及び回転保持基板７０の斜視図である。
図３は、実施形態１に係る光源装置１１０を説明するために示す図である。図３（ａ）は光合成光学系９０側から見たときの光源ランプ１Ａ，１Ｂ及び回転保持基板７０を模式的に示す図であり、図３（ｂ）は回転駆動部７００を説明するために示す図である。なお、図３（ａ）においては、各光源ランプ１Ａ，１Ｂの発光管２０Ａ，２０Ｂにおける管球部３０Ａ，３０Ｂについても併せて図示している。
【００３１】
図４は、光源ランプ１Ａを模式的に示す側面図である。
図５は、光合成光学系９０の斜視図である。
図６は、インテグレータロッド２００を説明するために示す図である。図６（ａ）はインテグレータロッド２００の斜視図であり、図６（ｂ）はインテグレータロッド２００の光射出面２０４を照明光軸ＯＣに沿って見た図である。
図７は、カラーホイール２５０を示す図である。
【００３２】
なお、以下の説明においては、互いに直交する３つの方向をそれぞれｚ軸方向（図１（ａ）における照明光軸ＯＣ方向）、ｘ軸方向（図１（ａ）における紙面に平行かつｚ軸に直交する方向）及びｙ軸方向（図１（ａ）における紙面に垂直かつｚ軸に直交する方向）とする。
【００３３】
実施形態１に係るプロジェクタ１０００は、図１に示すように、照明光束を射出する光源装置１１０と、光源装置１１０からの照明光束をより均一な強度分布を有する光に変換する機能を有するインテグレータロッド２００と、インテグレータロッド２００の光射出側に配置されるカラーホイール２５０と、カラーホイール２５０を通過した光を被照明領域に導光するリレー光学系３００と、リレー光学系３００からの光を画像情報に応じて変調する電気光学変調装置としてのマイクロミラー型光変調装置４００と、マイクロミラー型光変調装置４００で変調された光をスクリーンＳＣＲ等の投写面に投写する投写光学系６００とを備えるプロジェクタである。
【００３４】
光源装置１１０は、図１〜図３に示すように、２つの光源ランプ１Ａ，１Ｂと、照明光軸ＯＣに垂直な面内で２つの光源ランプ１Ａ，１Ｂを回転可能に保持する回転保持基板７０と、２つの反射ミラー８０，８２と、光合成光学系９０と、回転保持基板７０を回転させる機能を有する回転駆動部７００とを備える。
【００３５】
光源ランプ１Ａは、図４に示すように、楕円面リフレクタ１０Ａと、楕円面リフレクタ１０Ａの第１焦点近傍に発光中心を有する発光管２０Ａと、反射手段としての副鏡６０Ａとを有する。光源ランプ１Ａは、ランプ光軸１Ａａｘを中心軸とする光束を射出する。
【００３６】
発光管２０Ａは、管球部３０Ａと、管球部３０Ａの両側に延びる一対の封止部４０Ａ，５０Ａとを有する。管球部３０Ａは、球状に形成された石英ガラス製であって、この管球部３０Ａ内に配置された一対の電極と、管球部内に封入された水銀、希ガス及び少量のハロゲンとを有する。発光管２０Ａとしては、種々の発光管を採用でき、例えば、メタルハライドランプ、高圧水銀ランプ、超高圧水銀ランプ等を採用できる。
【００３７】
楕円面リフレクタ１０Ａは、発光管２０Ａの一方の封止部４０Ａに挿通・固着される開口部１２Ａと、発光管２０Ａから放射された光を第２焦点位置に向けて反射する反射凹面１４Ａとを有する。
【００３８】
副鏡６０Ａは、発光管２０Ａの管球部３０Ａの略半分を覆い、楕円面リフレクタ１０Ａの反射凹面１４Ａと対向して配置される反射手段である。副鏡６０Ａは、発光管２０Ａの他方の封止部５０Ａに挿通・固着される開口部６２Ａと、管球部３０Ａから被照明領域側に向けて放射された光を管球部３０Ａに向けて反射する反射凹面６４Ａとを有する。副鏡６０Ａによって反射された光は、発光管２０Ａを透過して楕円面リフレクタ１０Ａに入射する。
【００３９】
他の光源ランプ１Ｂは、光源ランプ１Ａと同様の構成を有するため、詳細な説明は省略する。
【００４０】
これら光源ランプ１Ａ，１Ｂは、図３（ａ）に示すように、第１位置Ｐ１又は第２位置Ｐ２に配置されている。なお、第１位置Ｐ１とは、回転保持基板７０を光合成光学系９０側から見たときに、ｘ（＋）側（図３（ａ）の右側）となる位置であり、第２位置Ｐ２とは、回転保持基板７０を光合成光学系９０側から見たときに、ｘ（−）側（図３（ａ）の左側）となる位置である。
【００４１】
回転保持基板７０は、第１位置Ｐ１及び第２位置Ｐ２から等しい距離に回転軸７０ａｘを有し、照明光軸ＯＣに垂直な面内で光源ランプ１Ａ，１Ｂを回転可能に保持する円板状部材である。回転保持基板７０の中心部分には、回転保持基板７０を回転させるためのモータ７１０が配置されている（図３参照。）。
【００４２】
各光源ランプ１Ａ，１Ｂのランプ光軸１Ａａｘ，１Ｂａｘと回転保持基板７０の回転軸７０ａｘとの間の距離は、すべて同じ値（Ｌ）となる（図３（ａ）参照。）。このため、回転軸７０ａｘから第１位置Ｐ１及び第２位置Ｐ２までの距離は、それぞれ等しくなる。
【００４３】
光源ランプ１Ａ，１Ｂが保持された回転保持基板７０は、他の回転保持基板と交換可能に構成されている。
【００４４】
反射ミラー８０は、図２（ａ）に示すように、第１位置Ｐ１の前方に配置され、第１位置Ｐ１に配置された光源ランプ（例えば光源ランプ１Ａ）からの光を光合成光学系９０に向けて反射する反射素子である。
反射ミラー８２は、第２位置Ｐ２の前方に配置され、第２位置Ｐ２に配置された光源ランプ（例えば光源ランプ１Ｂ）からの光を光合成光学系９０に向けて反射する反射素子である。
【００４５】
光合成光学系９０は、図５に示すように、２つの反射面９２，９４を有する三角柱形状のプリズムである。光合成光学系９０は、図１及び図２（ａ）に示すように、反射ミラー８０，８２の略中間位置に配置され、２つの光源ランプ１Ａ，１Ｂから射出され反射ミラー８０，８２で反射された光を合成して射出する機能を有する。
【００４６】
このように構成された反射ミラー８０，８２及び光合成光学系９０により、第１位置Ｐ１及び第２位置Ｐ２に配置された光源ランプ１Ａ，１Ｂからの照明光束を照明光軸ＯＣに沿った方向に向けて射出することが可能となる（図１参照。）。
【００４７】
回転駆動部７００は、図３（ｂ）に示すように、回転保持基板７０を回転させるためのモータ７１０と、モータ７１０の駆動を制御するモータ制御回路７１２とを有する。モータ制御回路７１２がモータ７１０の駆動を制御することによって、回転保持基板７０の回転角の制御が可能となるように構成されている。
【００４８】
なお、回転駆動部７００による回転保持基板７０の回転動作ついては、詳細に後述する。
【００４９】
インテグレータロッド２００は、図６に示すように、光源装置１１０からの光を内面で多重反射させることにより、光源装置１１０からの光をより均一な強度分布を有する光に変換する機能を有する光学部材である。インテグレータロッド２００は、光路後段に向けて細くなるようなテーパ形状を有する。インテグレータロッド２００としては、例えば、中実のガラスロッドを好適に用いることができる。
【００５０】
インテグレータロッド２００の光射出面２０４の形状は、マイクロミラー型光変調装置４００の画像形成領域の形状とほぼ相似形をなすように設定されている。ただし、照明光軸ＯＣはマイクロミラー型光変調装置４００の中心軸に対して傾斜して配置されているので、マイクロミラー型光変調装置４００に照射される光は、この傾斜に応じて歪んだ輪郭形状を有することとなる。したがって、このような場合におけるインテグレータロッド２００の光射出面２０４の形状としては、マイクロミラー型光変調装置４００に照射される光の輪郭の歪みを補正するような形状とすることがより好ましい。
【００５１】
カラーホイール２５０は、図７に示すように、回転方向に沿って区切られた４つの扇形の領域に３つの透過型のカラーフィルタ２６０Ｒ，２６０Ｇ，２６０Ｂが形成された円板状部材である。カラーホイール２００の中心部分には、カラーホイール２００を回転させるためのモータ２７０が配置されている。
【００５２】
カラーフィルタ２６０Ｒは、インテグレータロッド２００からの照明光束のうち、赤の波長領域の光を透過し、他の波長領域の光を反射又は吸収することにより、赤色光成分のみを透過するものである。同様に、カラーフィルタ２６０Ｇ，２６０Ｂは、それぞれ、インテグレータロッド２００からの照明光束のうち、緑又は青の波長領域の光を透過し、他の波長領域の光を反射又は透過することにより、緑色光成分又は青色光成分のみを透過するものである。カラーフィルタ２６０Ｒ，２６０Ｇ，２６０Ｂは、例えば、誘電体多層膜や、塗料を用いて形成されたフィルタ板などを好適に用いることができる。４つの扇形領域において、カラーフィルタ２６０Ｒ，２６０Ｇ，２６０Ｂ以外の部分は、透光領域２６０Ｗとなっており、インテグレータロッド２００からの光がそのまま通過できるようになっている。この透光領域２６０Ｗにより、投写画像中の輝度を上げることができ、投写画像の明るさを確保することができる。
【００５３】
なお、カラーホイール２５０は省略することも可能であり、この場合における投写画像はモノクロ画像である。
【００５４】
インテグレータロッド２００から射出された照明光束は、カラーホイール２５０を通過することにより、上述のように赤色光、緑色光及び青色光の３つの色光成分を含む照明光束になり、この照明光束は、リレー光学系３００によって拡大されて、マイクロミラー型光変調装置４００の画像形成領域上に照射される。
【００５５】
リレー光学系３００は、図１に示すように、リレーレンズ３１０と、反射ミラー３２０と、集光レンズ３３０とを有し、インテグレータロッド２００（カラーホイール２５０）からの照明光束をマイクロミラー型光変調装置４００の画像形成領域に導く機能を有する。
【００５６】
リレーレンズ３１０は、集光レンズ３３０とともに、インテグレータロッド２００からの照明光束を発散させずにマイクロミラー型光変調装置４００の画像形成領域近傍に結像させる機能を有する。なお、リレーレンズ３１０は、１枚のレンズで構成されていてもよいし、複数のレンズを組み合わせた複合レンズで構成されていてもよい。
【００５７】
反射ミラー３２０は、照明光軸ＯＣに対して傾斜して配置され、リレーレンズ３１０からの照明光束を曲折し、マイクロミラー型光変調装置４００へと導光する。これにより、プロジェクタ１０００をコンパクトにすることができる。
【００５８】
集光レンズ３３０は、リレーレンズ３１０及び反射ミラー３２０からの照明光束をマイクロミラー型光変調装置４００の画像形成領域にほぼ重畳させ、かつ、マイクロミラー型光変調装置４００によって変調された光を投写光学系６００とともに拡大投写するものである。
【００５９】
マイクロミラー型光変調装置４００は、リレー光学系３００からの光を画像情報に応じて各画素に対応するマイクロミラーで反射することにより、画像を表す画像光を投写光学系６００へと射出する機能を有する反射方向制御型光変調装置である。マイクロミラー型光変調装置４００としては、例えば、ＤＭＤ（デジタルマイクロミラーデバイス）（ＴＩ社の商標）を用いることができる。
【００６０】
マイクロミラー型光変調装置４００から射出される画像光は、投写光学系６００によって拡大投写され、スクリーンＳＣＲ上で大画面画像を形成する。
【００６１】
マイクロミラー型光変調装置４００と投写光学系６００とは、それぞれの中心軸が一致するように配置されている。なお、実施形態１に係るプロジェクタ１０００をあおり投写の構成を有するプロジェクタとする場合には、マイクロミラー型光変調装置４００の中心軸に対して投写光学系６００の投写光軸６００ａｘがあおり方向にずれるように構成することが好ましい。
【００６２】
次に、回転駆動部７００による回転保持基板７０の回転動作について、図８を用いて説明する。
【００６３】
図８は、回転保持基板７０の回転動作を説明するために示す図である。図８（ａ）は光源ランプ１Ａが第１位置Ｐ１に配置されているときの各光源ランプ１Ａ，１Ｂにおける管球部３０Ａ，３０Ｂの上側の頂点部分となる位置を説明するために示す図であり、図８（ｂ）は光源ランプ１Ａが第２位置Ｐ２に配置されているときの各光源ランプ１Ａ，１Ｂにおける管球部３０Ａ，３０Ｂの上側の頂点部分となる位置を説明するために示す図である。なお、図８（ａ）及び図８（ｂ）において、符号ａ１，ａ２は、光源ランプ１Ａにおける管球部３０Ａの所定の領域を示しており、符号ｂ１，ｂ２は、光源ランプ１Ｂにおける管球部３０Ｂの所定の領域を示している。
【００６４】
回転駆動部７００は、複数の光源ランプ１Ａ，１Ｂのうちいずれかの光源ランプを他の光源ランプが配置されている位置に移動させるように、回転保持基板７０を定期的に回転させる機能を有する。
【００６５】
具体的に説明すると、例えば光源ランプ１Ａ，１Ｂが図８（ａ）に示すように第１位置Ｐ１及び第２位置Ｐ２に配置されていた場合、光源ランプ１Ａにおいては、ａ１の位置が管球部における上側の頂点部分となり、ａ２の位置が管球部における下側の頂点部分となる。また、光源ランプ１Ｂにおいては、ｂ１の位置が管球部における上側の頂点部分となり、ｂ２の位置が管球部における下側の頂点部分となる。
【００６６】
仮に、この状態のまま（回転保持基板７０を回転させることなく）プロジェクタを使用し続けると、管球部における上側の頂点部分、すなわち、光源ランプ１Ａにおいてはａ１の位置、光源ランプ１Ｂにおいてはｂ１の位置の温度が過度に上昇してしまい、管球部におけるａ１の位置又はｂ１の位置において局所的な膨れや白化が発生する場合がある。一方、光源ランプ１Ａ，１Ｂを冷却ファンで冷却したときには、今度は管球部における下側の部分、すなわち、光源ランプ１Ａにおいてはａ２の位置、光源ランプ１Ｂにおいてはｂ２の位置が必要以上に冷却されてしまう場合があり、管球部におけるａ２の位置又はｂ２の位置において黒化する場合がある。
【００６７】
しかしながら、実施形態１に係る光源装置１１０においては、上述の回転保持基板７０及び回転駆動部７００を備えているため、複数の光源ランプ１Ａ，１Ｂを第１位置Ｐ１と第２位置Ｐ２との間で定期的に移動させることが可能となる。
【００６８】
なお、本発明において「定期的」とは、所定の条件が満たされたときを意味している。例えば、プロジェクタの電源を入れる（プロジェクタを使用する）たびに、回転保持基板７０を回転させることとしてもよいし、プロジェクタの電源を切る（プロジェクタがクーリング状態となる）たびに、回転保持基板７０を回転させることとしてもよいし、プロジェクタの累積使用時間に応じて、回転保持基板７０を回転させることとしてもよい。なお、このような回転駆動部７００による回転動作は、プロジェクタの非投影時に行うことがより好ましい。プロジェクタの電源を入れるたびに回転保持基板７０を回転させる場合には、プロジェクタの電源を入れた後、プロジェクタからスクリーンに向けて画像が投写される前までの状態（いわゆるスタンバイ状態）のときに、回転保持基板７０を回転させることが好ましい。プロジェクタの電源を切るたびに回転保持基板７０を回転させる場合には、プロジェクタの電源を切った後、プロジェクタからスクリーンに向けて画像が投写されなくなった状態のときに、回転保持基板７０を回転させることが好ましい。
【００６９】
光源ランプ１Ａ，１Ｂが図８（ａ）に示すように配置されていた場合において、上記のような所定の条件が満たされると、回転駆動部７００は、第１位置Ｐ１に配置された光源ランプ１Ａを第２位置Ｐ２に移動させるとともに、第２位置Ｐ２に配置された光源ランプ１Ｂを第１位置Ｐ１に移動させるように、回転保持基板７０を図８（ｂ）に示す矢印Ｒ１方向に回転させる。
【００７０】
これにより、図８（ｂ）に示すように、光源ランプ１Ａにおいては、ａ２の位置が管球部における上側の頂点部分となり、ａ１の位置が管球部における下側の頂点部分となる。一方、光源ランプ１Ｂにおいては、ｂ２の位置が管球部における上側の頂点部分となり、ｂ１の位置が管球部における下側の頂点部分となる。
【００７１】
ここで、第１位置Ｐ１又は第２位置Ｐ２に配置されているときの各光源ランプ１Ａ，１Ｂの管球部に着目してみると、光源ランプ１Ａにおいては、第１位置Ｐ１に配置されているときには、ａ１の位置が管球部における上側の頂点部分となり（図８（ａ）参照。）、第２位置Ｐ２に配置されているときには、ａ２の位置が管球部における上側の頂点部分となる（図８（ｂ）参照。）。つまり、第１位置Ｐ１に配置されているときの管球部における上側の頂点部分となる位置と、第２位置Ｐ２に配置されているときの管球部における上側の頂点部分となる位置とは、それぞれ異なる位置となる。なお、説明は省略するが、光源ランプ１Ｂについても光源ランプ１Ａと同様のことが言える（図８（ａ）及び図８（ｂ）参照。）。
【００７２】
このように第１位置Ｐ１に配置されているときと第２位置Ｐ２に配置されているときとで管球部における上側の頂点部分となる位置が異なるのは、光源ランプ１Ａ，１Ｂが回転保持基板７０に保持されているとともに、回転保持基板７０が、第１位置Ｐ１及び第２位置Ｐ２から略等しい距離に回転軸７０ａｘを有することに起因する。つまり、実施形態１に係る光源装置１１０によれば、光源ランプ１Ａ，１Ｂが回転保持基板７０に保持されているとともに、回転保持基板７０が、第１位置Ｐ１及び第２位置Ｐ２から略等しい距離に回転軸７０ａｘを有するため、回転保持基板７０を定期的に回転させることによって、管球部における上側の頂点部分となる位置を定期的に変えることが可能となる。
【００７３】
以上、実施形態１に係る光源装置１１０によれば、２つの光源ランプ１Ａ，１Ｂを備えるとともに、これらの光源ランプ１Ａ，１Ｂからの光を光合成光学系９０によって合成して射出する構成としているため、高輝度のプロジェクタに好適に用いることのできる光源装置となる。
【００７４】
また、実施形態１に係る光源装置１１０によれば、光源ランプ１Ａ，１Ｂが回転保持基板７０に保持されているとともに、回転保持基板７０が、複数の光源ランプ１Ａ，１Ｂが配置される位置（第１位置Ｐ１及び第２位置Ｐ２）から略等しい距離に回転軸７０ａｘを有するため、回転保持基板７０を定期的に回転させることによって、管球部における上側の頂点部分となる位置を定期的に変えることが可能となる。これにより、管球部における上側の頂点部分において局所的な膨れや白化が顕著に現れる前に管球部における上側の頂点部分の位置を変えることが可能となるため、局所的な膨れや白化に起因する発光管の破裂を抑制することが可能となる。また、管球部における下側の頂点部分となる位置についても定期的に変えることが可能となるため、管球部における下側の頂点部分において黒化が顕著に現れる前に管球部における下側の頂点部分の位置を変えることが可能となり、黒化に起因する発光管の光量の低下及び発光管の破損を抑制することが可能となる。その結果、光源装置の長寿命化を図ることが可能となる。
【００７５】
したがって、実施形態１に係る光源装置１１０は、高輝度のプロジェクタに好適に用いることのできる光源装置であって、長寿命化を図ることが可能な光源装置となる。
【００７６】
実施形態１に係る光源装置１１０においては、上述の反射ミラー８０，８２をさらに備えるため、回転保持基板７０と光合成光学系９０との間の距離を短くすることが可能となり、光源装置１１０の小型化を図ることが可能となる。
【００７７】
実施形態１に係る光源装置１１０においては、複数の光源ランプ１Ａ，１Ｂが保持された回転保持基板７０は、他の回転保持基板と交換可能に構成されている。これにより、複数の光源ランプ１Ａ，１Ｂを回転保持基板７０ごと取り外すことができるとともに、新たな光源ランプを回転保持基板ごと組み込むことができるため、複数の光源ランプ１Ａ，１Ｂのすべてを新たな光源ランプに交換する場合に、非常に簡易に交換することが可能となる。
【００７８】
実施形態１に係るプロジェクタ１０００は、上述した優れた光源装置１１０を備えているため、高輝度であって長寿命化を図ることが可能なプロジェクタとなる。
【００７９】
実施形態１に係るプロジェクタ１０００においては、上述のインテグレータロッド２００をさらに備えるため、インテグレータロッド２００の内面における反射によって、マイクロミラー型光変調装置４００の画像形成領域に照射される光の面内光強度分布をより均一なものにすることが可能となる。
【００８０】
実施形態１に係るプロジェクタ１０００においては、インテグレータロッド２００がテーパ形状を有するため、光源装置１１０から射出される光を広くのみ込むことが可能な構成としつつ、インテグレータロッド２００が大型化するのを抑制することが可能となる。
また、実施形態１に係るプロジェクタ１０００においては、インテグレータロッド２００の光射出面２０４が画像形成領域と略同一の平面形状を有するため、インテグレータロッド２００から射出される光の光利用効率の向上を図ることが可能となる。
【００８１】
実施形態１に係るプロジェクタ１０００においては、プロジェクタ１０００の非投影時に回転駆動部７００による回転動作を行うこととしている。このため、スクリーンＳＣＲに投影中の投写画像が一瞬暗くなってしまうこともなくなり、視者に不快感を与えることもない。
【００８２】
［実施形態２］
図９及び図１０は、実施形態２に係る光源装置１１２を説明するために示す図である。図９（ａ）は光源装置１１２の斜視図であり、図９（ｂ）は光源ランプ１Ａ〜１Ｃ及び回転保持基板７２の斜視図である。図１０は、光合成光学系１３０側から見たときの光源ランプ１Ａ〜１Ｃ及び回転保持基板７２を模式的に示す図である。なお、図９においては、各光源ランプ１Ａ〜１Ｃの発光管２０Ａ〜２０Ｃにおける管球部３０Ａ〜３０Ｃについても併せて図示している。
図１１は、光合成光学系１３０の斜視図である。
【００８３】
図１２は、回転保持基板７２の回転動作を説明するために示す図である。図１２（ａ）は光源ランプ１Ａが第１位置Ｐ１に配置されているときの各光源ランプ１Ａ〜１Ｃにおける管球部３０Ａ〜３０Ｃの上側の頂点部分となる位置を説明するために示す図であり、図１２（ｂ）は光源ランプ１Ａが第２位置Ｐ２に配置されているときの各光源ランプ１Ａ〜１Ｃにおける管球部３０Ａ〜３０Ｃの上側の頂点部分となる位置を説明するために示す図であり、図１２（ｃ）は光源ランプ１Ａが第３位置Ｐ３に配置されているときの各光源ランプ１Ａ〜１Ｃにおける管球部３０Ａ〜３０Ｃの上側の頂点部分となる位置を説明するために示す図である。なお、図１２（ａ）〜図１２（ｃ）において、符号ａ１〜ａ３は、光源ランプ１Ａにおける管球部３０Ａの所定の領域を示しており、符号ｂ１〜ｂ３は、光源ランプ１Ｂにおける管球部３０Ｂの所定の領域を示しており、符号ｃ１〜ｃ３は、光源ランプ１Ｃにおける管球部３０Ｃの所定の領域を示している。
【００８４】
なお、図９〜図１２において、図２、図３及び図８と同一の部材については同一の符号を付し、詳細な説明は省略する。
【００８５】
実施形態２に係る光源装置１１２は、基本的には実施形態１に係る光源装置１１０とよく似た構成を有しているが、光源ランプの数が、実施形態１に係る光源装置１１０とは異なる。また、実施形態２に係る光源装置１１２は、光源ランプの数が異なることにともない、回転保持基板の構成、反射ミラーの数及び配置並びに光合成光学系の構成も、実施形態１に係る光源装置１１０とは異なる。
【００８６】
すなわち、実施形態２に係る光源装置１１２においては、図９〜図１２に示すように、３つの光源ランプ１Ａ〜１Ｃを備えている。なお、光源ランプ１Ｃは、実施形態１で説明した光源ランプ１Ａ，１Ｂと同様の構成を有するため、詳細な説明は省略する。
【００８７】
これら光源ランプ１Ａ〜１Ｃは、図１０に示すように、第１位置Ｐ１〜第３位置Ｐ３に配置されている。実施形態２に係る光源装置１１２において、第１位置Ｐ１とは、回転保持基板７２を光合成光学系１３０側から見たときに、ｘ（＋）側（図１０の右側）となる位置であり、第２位置Ｐ２とは、ｘ（−）側（図１４の左側）となる位置であり、第３位置Ｐ３とは、ｙ（＋）側（図１０の上側）となる位置である。第１位置Ｐ１〜第３位置Ｐ３はそれぞれ、回転保持基板７２を約１２０度回転させたときの位置となる。
【００８８】
回転保持基板７２は、第１位置Ｐ１〜第３位置Ｐ３から等しい距離に回転軸７２ａｘを有し、照明光軸ＯＣに垂直な面内で光源ランプ１Ａ〜１Ｃを回転可能に保持する円板状部材である。
【００８９】
３つの反射ミラー１２０，１２２，１２４のそれぞれは、図９（ａ）に示すように、光源ランプ１Ａ〜１Ｃの前方に配置され、各光源ランプ１Ａ〜１Ｃからの光を光合成光学系１３０に向けて反射する反射素子である。
【００９０】
光合成光学系１３０は、図１１に示すように、３つの反射面１３２，１３４，１３６を有する三角錐形状のプリズムである。光合成光学系１３０は、３つの光源ランプ１Ａ〜１Ｃから射出され反射ミラー１２０〜１２４で反射された光を合成して射出する機能を有する。
【００９１】
このように構成された反射ミラー１２０〜１２４及び光合成光学系１３０により、第１位置Ｐ１〜第３位置Ｐ３に配置された光源ランプ１Ａ〜１Ｃからの照明光束を被照明領域に向けて射出することが可能となる。
【００９２】
実施形態２に係る光源装置１１２においても、実施形態１に係る光源装置１１０の場合と同様に、光源ランプ１Ａ〜１Ｃが回転保持基板７２に保持されているとともに、回転保持基板７２が、第１位置Ｐ１〜第３位置Ｐ３から略等しい距離に回転軸７２ａｘを有するため、図１２（ａ）〜図１２（ｃ）に示すように回転保持基板７２を定期的に回転させることによって、管球部における上側の頂点部分となる位置を定期的に変えることが可能となる。
【００９３】
このように、実施形態２に係る光源装置１１２は、実施形態１に係る光源装置１１０とは、光源ランプの数が異なるが、実施形態１に係る光源装置１１０の場合と同様に、第１位置Ｐ１〜第３位置Ｐ３に配置された光源ランプからの光を光合成光学系１３０によって合成して射出する構成としているため、高輝度のプロジェクタに好適に用いることのできる光源装置となる。
【００９４】
また、実施形態２に係る光源装置１１２によれば、実施形態１に係る光源装置１１０の場合と同様に、回転保持基板７２を定期的に回転させることによって、管球部における上側の頂点部分となる位置を定期的に変えることが可能となるため、結果として、光源装置１１２の長寿命化を図ることが可能となる。
【００９５】
したがって、実施形態２に係る光源装置１１２は、高輝度のプロジェクタに好適に用いることのできる光源装置であって、長寿命化を図ることが可能な光源装置となる。
【００９６】
実施形態２に係る光源装置１１２においては、光源ランプとして、３つの光源ランプ１Ａ〜１Ｃを備えているため、さらに高輝度のプロジェクタに好適に用いることのできる光源装置となる。
また、実施形態２に係る光源装置１１２においては、光合成光学系１３０は、三角錐形状のプリズムであるため、反射ミラーを貼り合わせた構成からなる光合成光学系の場合に比べて、部品点数を削減することが可能となる。
【００９７】
実施形態２に係る光源装置１１２は、光源ランプの数が異なる点以外の点では、実施形態１に係る光源装置１１０と同様の構成を有するため、実施形態１に係る光源装置１１０が有する効果のうち該当する効果をそのまま有する。
【００９８】
［実施形態３］
図１３及び図１４は、実施形態３に係る光源装置１１４を説明するために示す図である。図１３（ａ）は光源装置１１４の斜視図であり、図１３（ｂ）は光源ランプ１Ａ〜１Ｄ及び回転保持基板７４の斜視図である。図１４は、光合成光学系１５０側から見たときの光源ランプ１Ａ〜１Ｄ及び回転保持基板７４を模式的に示す図である。なお、図１４においては、各光源ランプ１Ａ〜１Ｄの発光管２０Ａ〜２０Ｄにおける管球部３０Ａ〜３０Ｄについても併せて図示している。
図１５は、光合成光学系１５０の斜視図である。
【００９９】
図１６は、回転保持基板７４の回転動作を説明するために示す図である。図１６（ａ）は光源ランプ１Ａが第１位置Ｐ１に配置されているときの各光源ランプ１Ａ〜１Ｄにおける管球部３０Ａ〜３０Ｄの上側の頂点部分となる位置を説明するために示す図であり、図１６（ｂ）は光源ランプ１Ａが第２位置Ｐ２に配置されているときの各光源ランプ１Ａ〜１Ｄにおける管球部３０Ａ〜３０Ｄの上側の頂点部分となる位置を説明するために示す図であり、図１６（ｃ）は光源ランプ１Ａが第３位置Ｐ３に配置されているときの各光源ランプ１Ａ〜１Ｄにおける管球部３０Ａ〜３０Ｄの上側の頂点部分となる位置を説明するために示す図であり、図１６（ｄ）は光源ランプ１Ａが第４位置Ｐ４に配置されているときの各光源ランプ１Ａ〜１Ｄにおける管球部３０Ａ〜３０Ｄの上側の頂点部分となる位置を説明するために示す図である。なお、図１６（ａ）〜図１６（ｄ）において、符号ａ１〜ａ４は、光源ランプ１Ａにおける管球部３０Ａの所定の領域を示しており、符号ｂ１〜ｂ４は、光源ランプ１Ｂにおける管球部３０Ｂの所定の領域を示しており、符号ｃ１〜ｃ４は、光源ランプ１Ｃにおける管球部３０Ｃの所定の領域を示しており、符号ｄ１〜ｄ４は、光源ランプ１Ｄにおける管球部３０Ｄの所定の領域を示している。
【０１００】
なお、図１３〜図１６において、図２、図３及び図７並びに図９〜図１２と同一の部材については同一の符号を付し、詳細な説明は省略する。
【０１０１】
実施形態３に係る光源装置１１４は、基本的には実施形態１及び２に係る光源装置１１０，１１２とよく似た構成を有しているが、光源ランプの数が、実施形態１及び２に係る光源装置１１０，１１２とは異なる。また、実施形態３に係る光源装置１１４は、光源ランプの数が異なることにともない、回転保持基板の構成、反射ミラーの数及び配置並びに光合成光学系の構成も、実施形態１及び２に係る光源装置１１０，１１２とは異なる。
【０１０２】
すなわち、実施形態３に係る光源装置１１４においては、図１３〜図１６に示すように、４つの光源ランプ１Ａ〜１Ｄを備えている。なお、光源ランプ１Ｄは、実施形態１で説明した光源ランプ１Ａ，１Ｂと同様の構成を有するため、詳細な説明は省略する。
【０１０３】
これら光源ランプ１Ａ〜１Ｄは、図１４に示すように、第１位置Ｐ１〜第４位置Ｐ４に配置されている。実施形態３に係る光源装置１１４において、第１位置Ｐ１とは、回転保持基板７４を光合成光学系１５０側から見たときに、ｘ（＋）側（図１４の右側）となる位置であり、第２位置Ｐ２とは、ｙ（−）側（図１４の下側）となる位置であり、第３位置Ｐ３とは、ｘ（−）側（図１４の左側）となる位置であり、第４位置Ｐ４とは、ｙ（＋）側（図１４の上側）となる位置である。第１位置Ｐ１〜第４位置Ｐ４はそれぞれ、回転保持基板７４を約９０度回転させたときの位置となる。
【０１０４】
回転保持基板７４は、第１位置Ｐ１〜第４位置Ｐ４から等しい距離に回転軸７４ａｘを有し、照明光軸ＯＣに垂直な面内で光源ランプ１Ａ〜１Ｄを回転可能に保持する円板状部材である。
【０１０５】
４つの反射ミラー１４０，１４２，１４４，１４６のそれぞれは、図１３（ａ）に示すように、光源ランプ１Ａ〜１Ｄの前方に配置され、各光源ランプ１Ａ〜１Ｄからの光を光合成光学系１５０に向けて反射する反射素子である。
【０１０６】
光合成光学系１５０は、図１５に示すように、４つの反射面１５２，１５４，１５６，１５８を有する四角錐形状のプリズムである。光合成光学系１５０は、４つの光源ランプ１Ａ〜１Ｄから射出され反射ミラー１４０〜１４６で反射された光を合成して射出する機能を有する。
【０１０７】
このように構成された反射ミラー１４０〜１４６及び光合成光学系１５０により、第１位置Ｐ１〜第４位置Ｐ４に配置された光源ランプ１Ａ〜１Ｄからの照明光束を被照明領域に向けて射出することが可能となる。
【０１０８】
実施形態３に係る光源装置１１４においても、実施形態１及び２に係る光源装置１１０，１１２の場合と同様に、光源ランプ１Ａ〜１Ｄが回転保持基板７４に保持されているとともに、回転保持基板７４が、第１位置Ｐ１〜第４位置Ｐ４から略等しい距離に回転軸７４ａｘを有するため、図１６（ａ）〜図１６（ｄ）に示すように回転保持基板７４を定期的に回転させることによって、管球部における上側の頂点部分となる位置を定期的に変えることが可能となる。
【０１０９】
このように、実施形態３に係る光源装置１１４は、実施形態１及び２に係る光源装置１１０，１１２とは、光源ランプの数が異なるが、実施形態１及び２に係る光源装置１１０，１１２の場合と同様に、第１位置Ｐ１〜第４位置Ｐ４に配置された光源ランプからの光を光合成光学系１５０によって合成して射出する構成としているため、高輝度のプロジェクタに好適に用いることのできる光源装置となる。
【０１１０】
また、実施形態３に係る光源装置１１４によれば、実施形態１及び２に係る光源装置１１０，１１２の場合と同様に、回転保持基板７４を定期的に回転させることによって、管球部における上側の頂点部分となる位置を定期的に変えることが可能となるため、結果として、光源装置１１４の長寿命化を図ることが可能となる。
【０１１１】
したがって、実施形態３に係る光源装置１１４は、高輝度のプロジェクタに好適に用いることのできる光源装置であって、長寿命化を図ることが可能な光源装置となる。
【０１１２】
実施形態３に係る光源装置１１４においては、光源ランプとして、４つの光源ランプ１Ａ〜１Ｄを備えているため、さらに高輝度のプロジェクタに好適に用いることのできる光源装置となる。
【０１１３】
実施形態３に係る光源装置１１４は、光源ランプの数が異なる点以外の点では、実施形態１及び２に係る光源装置１１０，１１２と同様の構成を有するため、実施形態１及び２に係る光源装置１１０，１１２が有する効果のうち該当する効果をそのまま有する。
【０１１４】
以上、本発明の光源装置及びプロジェクタを上記の各実施形態に基づいて説明したが、本発明は上記の各実施形態に限定されるものではなく、その要旨を逸脱しない範囲において種々の態様において実施することが可能であり、例えば次のような変形も可能である。
【０１１５】
（１）上記各実施形態に係る光源装置１１０〜１１４においては、２つ〜４つの光源ランプを備える場合を例示して説明したが、本発明はこれに限定されるものではなく、５つ以上の光源ランプを備えていてもよい。
【０１１６】
（２）上記各実施形態に係る光源装置１１０〜１１４においては、回転保持基板の回転軸の軸方向と同じ方向にランプ光軸が向くように、各光源ランプが配置されている場合を例示して説明したが、本発明はこれに限定されるものではなく、回転保持基板の回転軸に垂直な方向にランプ光軸が向くように、かつ、各光源ランプからの光が回転保持基板の内側（回転軸側）に照射されるように、各光源ランプが配置されていてもよい。この場合、各光源ランプと光合成光学系との間に配置される反射ミラーを省略することも可能である。
【０１１７】
（３）上記各実施形態に係る光源装置１１０〜１１４においては、光合成光学系としてプリズムを用いたが、本発明はこれに限定されるものではなく、例えば、複数の光源ランプの数と同数の反射ミラーを貼り合わせた光学部材を用いてもよい。
【０１１８】
（４）上記各実施形態に係る光源装置１１０〜１１４においては、回転保持基板を矢印Ｒ１方向に回転させる場合を例示的に説明したが、本発明はこれに限定されるものではなく、矢印Ｒ１とは反対方向に回転させる構成としてもよいし、両方向に回転させる構成としてもよい。
【０１１９】
（５）上記各実施形態に係る光源装置１１０〜１１４においては、回転保持基板として、円板状部材を用いたが、本発明はこれに限定されるものではなく、他の形状（例えば略三角形状、略四角形状）からなるものを用いてもよい。
【０１２０】
（６）上記各実施形態に係る光源装置１１０〜１１４においては、発光管に配設される反射手段として副鏡を用いたが、本発明はこれに限定されるものではなく、反射手段として反射膜を用いることも好ましい。また、上記各実施形態に係る光源装置１１０〜１１６においては、発光管に反射手段としての副鏡が配設された光源装置を例示して説明しているが、本発明はこれに限定されるものではなく、副鏡が配設されていない光源装置に本発明を適用することも可能である。
【０１２１】
（７）上記各実施形態に係る光源装置１１０〜１１４においては、光源ランプとして、楕円面リフレクタからなる光源ランプを用いたが、本発明はこれに限定されるものではなく、放物面リフレクタからなる光源ランプを用いてもよい。
【０１２２】
（８）上記実施形態１に係るプロジェクタ１０００においては、インテグレータロッドとして、中実のロッドを用いたが、本発明はこれに限定されるものではなく、中空のロッド（例えば４枚の反射ミラーを貼り合わせたもの）を用いてもよい。また、上記実施形態１に係るプロジェクタ１０００においては、光均一化光学系として、インテグレータロッドからなるロッドインテグレータ光学系を用いたが、本発明はこれに限定されるものではなく、レンズアレイからなるレンズインテグレータ光学系を用いてもよい。
【０１２３】
（９）上記実施形態１に係るプロジェクタ１０００においては、電気光学変調装置として、マイクロミラー型光変調装置４００を用いたが、本発明はこれに限定されるものではなく、液晶パネルを備える液晶装置を用いてもよい。この場合の液晶装置の数については、特に限定されるものではなく、例えば３つの液晶装置を用いたいわゆる３板式の液晶プロジェクタの構成としてもよいし、１つ、２つ又は４つ以上の液晶装置を用いてプロジェクタを構成してもよい。なお、液晶装置としては、光を透過するタイプの液晶装置を用いてもよいし、光を反射するタイプの液晶装置を用いてもよい。
【０１２４】
（１０）本発明は、投写画像を観察する側から投写するフロント投写型プロジェクタに適用する場合にも、投写画像を観察する側とは反対の側から投写するリア投写型プロジェクタに適用する場合にも可能である。
【図面の簡単な説明】
【０１２５】
【図１】実施形態１に係る光源装置１１０及びプロジェクタ１０００の光学系を示す図。
【図２】実施形態１に係る光源装置１１０を説明するために示す図。
【図３】実施形態１に係る光源装置１１０を説明するために示す図。
【図４】光源ランプ１Ａを模式的に示す側面図。
【図５】光合成光学系９０の斜視図。
【図６】インテグレータロッド２００を説明するために示す図。
【図７】カラーホイール２５０を示す図。
【図８】回転保持基板７０の回転動作を説明するために示す図。
【図９】実施形態２に係る光源装置１１２を説明するために示す図。
【図１０】実施形態２に係る光源装置１１２を説明するために示す図。
【図１１】光合成光学系１３０の斜視図。
【図１２】回転保持基板７２の回転動作を説明するために示す図。
【図１３】実施形態３に係る光源装置１１４を説明するために示す図。
【図１４】実施形態３に係る光源装置１１４を説明するために示す図。
【図１５】光合成光学系１５０の斜視図。
【図１６】回転保持基板７４の回転動作を説明するために示す図。
【符号の説明】
【０１２６】
１Ａ，１Ｂ，１Ｃ，１Ｄ…光源ランプ、１Ａａｘ，１Ｂａｘ，１Ｃａｘ，１Ｄａｘ…ランプ光軸、１０Ａ，１０Ｂ，１０Ｃ，１０Ｄ…楕円面リフレクタ、１２Ａ…開口部、１４Ａ…反射凹面、２０Ａ，２０Ｂ，２０Ｃ，２０Ｄ…発光管、３０Ａ，３０Ｂ，３０Ｃ，３０Ｄ…管球部、４０Ａ，５０Ａ…封止部、６０Ａ，６０Ｂ，６０Ｃ，６０Ｄ…副鏡、６２Ａ…開口部、６４Ａ…反射凹面、７０，７２，７４…回転保持基板、７０ａｘ，７２ａｘ，７４ａｘ…回転軸、８０，８２，１２０，１２２，１２４，１４０，１４２，１４４，１４６…反射ミラー、９０，１３０，１５０…光合成光学系、９２，９４，１３２，１３４，１３６，１５２，１５４，１５６，１５８…反射面、１１０，１１２，１１４…光源装置、２００…インテグレータロッド、２０２…（インテグレータロッドの）光入射面、２０４…（インテグレータロッドの）光射出面、２５０…カラーホイール、２６０Ｒ，２６０Ｇ，２６０Ｂ…カラーフィルタ、２６０Ｗ…透光領域、２７０…モータ、３００…リレー光学系、３１０…リレーレンズ、３２０…反射ミラー、３３０…集光レンズ、４００…マイクロミラー型光変調装置、６００…投写光学系、６００ａｘ…投写光軸、７００…回転駆動部、７１０…モータ、７１２…モータ制御回路、１０００…プロジェクタ、ＯＣ…照明光軸、Ｐ１…第１位置、Ｐ２…第２位置、Ｐ３…第３位置、Ｐ４…第４位置、ＳＣＲ…スクリーン
【図３】
2008309836.tif 000003
【図４】
2008309836.tif 000004
【図７】
2008309836.tif 000005
【図８】
2008309836.tif 000006
【図１０】
2008309836.tif 000007
【図１２】
2008309836.tif 000008
【図１４】
2008309836.tif 000009
【図１６】
2008309836.tif 000010
【図１】
2008309836.tif 000011
【図２】
2008309836.tif 000012
【図５】
2008309836.tif 000013
【図６】
2008309836.tif 000014
【図９】
2008309836.tif 000015
【図１１】
2008309836.tif 000016
【図１３】
2008309836.tif 000017
【図１５】
2008309836.tif 000018